(57)【要約】【課題】部分放電を監視する上でデータを効率よくネットワークに流すことでネットワークの負荷を軽減する。【解決手段】部分放電監視システムは、監視対象の絶縁ガス封入容器に配置された電磁波検出センサ、変換装置、インターフェース装置を備える。インターフェース装置は、絶縁ガス封入容器内に配置される導体に印加される電圧信号と同期する電圧信号のゼロクロス点を検出して電磁波の信号のサンプリングタイミングを決定する検出部と、検出部により決定されたサンプリングタイミングを変換装置へ通知する送信部と、変換装置から受信された変換装置毎のデジタルデータを統合する統合部と、統合されたデジタルデータを監視装置へ送信する送信部とを備える。【選択図】図１
2014181998.tif 000002
【特許請求の範囲】
【請求項１】
監視対象の絶縁ガス封入容器に配置され、前記絶縁ガス封入容器内の電磁波を検出する電磁波検出センサと、
前記電磁波検出センサにより検出された電磁波の信号をサンプリングしてデジタルデータに変換する変換装置と、
前記変換装置により変換されたデジタルデータを統合して監視装置へ送信するインターフェース装置とを備え、
前記インターフェース装置は、
前記絶縁ガス封入容器内に配置される導体に印加される電圧信号と同位相の主回路電圧信号のゼロクロス点を検出して前記電磁波の信号のサンプリングタイミングを決定する検出部と、
前記検出部により決定されたサンプリングタイミングを前記変換装置へ通知する送信部と、
前記変換装置から受信された前記変換装置毎のデジタルデータを統合する統合部と、
前記統合部により統合されたデジタルデータを前記監視装置へ送信する送信部と
を備え、
前記変換装置は、
前記インターフェース装置から通知されたサンプリングタイミングを基に前記電磁波の信号をサンプリングするタイミングを決定するタイミング決定部と、
前記タイミング決定部により決定されたタイミングを基に、前記電磁波の信号をサンプリングしてデジタルデータに変換する検出部と、
前記検出部により変換されたデジタルデータを前記インターフェース装置へ送信する送信部と
を備える部分放電監視システム。
【請求項２】
前記変換装置は、
前記インターフェース装置により検出された主回路電圧信号の位相のゼロクロスタイミングを基準として時間分割された領域毎に部分放電信号を検出する請求項１に記載の部分放電監視システム。
【請求項３】
前記インターフェース装置は、
複数の前記変換装置から送信されてくるデータを、単位時間毎のデータに統合して前記監視装置へ送信する請求項１に記載の部分放電監視システム。
【請求項４】
前記インターフェース装置と前記変換装置間のデータ送受信タイミングは、前記インターフェース装置にて制御する請求項１に記載の部分放電監視システム。
【請求項５】
前記インターフェース装置を監視対象の機器毎に設けた請求項１に記載の部分放電監視システム。
【請求項６】
前記インターフェース装置は、
１つの相の主回路電圧信号がゼロクロスタイミングで生成したパルス信号を所定時間間隔で前記変換装置へ送信する請求項１に記載の部分放電監視システム。
【請求項７】
前記変換装置は、
前記インターフェース装置により検出された主回路電圧信号の位相タイミングを基準として、１サイクルを３の倍数分割された領域毎に電磁波の信号を検出する請求項１記載の部分放電監視システム。
【請求項８】
監視対象の絶縁ガス封入容器に配置され、前記絶縁ガス封入容器内の電磁波を検出する電磁波検出センサと、前記電磁波検出センサにより検出された電磁波の信号をサンプリングしてデジタルデータに変換する変換装置と、前記変換装置により変換されたデジタルデータを統合して監視装置へ送信するインターフェース装置とを備えた部分放電監視システムにおける部分放電監視方法において、
前記インターフェース装置が、前記絶縁ガス封入容器内に配置される導体に印加される電圧信号と同位相の主回路電圧信号のゼロクロス点を検出して前記電磁波の信号のサンプリングタイミングを決定し、決定したサンプリングタイミングを前記変換装置へ通知するステップと、
前記変換装置が、前記インターフェース装置から通知されたサンプリングタイミングを基に前記電磁波検出センサにより検出された前記絶縁ガス封入容器内の電磁波の信号をサンプリングし、サンプリングしたデジタルデータを前記インターフェース装置へ送信するステップと、
前記インターフェース装置が、前記変換装置から受信された前記変換装置毎のデジタルデータを統合し、統合したデジタルデータを前記監視装置へ送信するステップと
を有する部分放電監視方法。
【発明の詳細な説明】
【技術分野】
【０００１】
本発明の実施形態は、部分放電監視システムおよび部分放電監視方法に関する。
【背景技術】
【０００２】
一般に、例えば変電所などの電力施設では、ＧＩＳなどのガス絶縁開閉装置、ガス絶縁母線、ガス絶縁変圧器等のガス絶縁機器が用いられている。ガス絶縁機器は、絶縁ガスを充填した密閉金属容器内に高電圧導体を収納し、これを絶縁物により支持してなる機器である。このガス絶縁機器において、金属容器内部に接触不良、金属異物混入などの欠陥部が生じると、その欠陥部分から部分放電が発生することが知られている。
【０００３】
ガス絶縁機器内の部分放電を放置しておくと、やがて絶縁破壊に至り、重大な事故発生に進展する可能性がある。したがって、部分放電を早期に発見し、欠陥部分を補修するなど、何らかの対策を施し重大事故を未然に防ぐことが重要である。
【０００４】
そこで、ガス絶縁機器の絶縁診断に対する予防保全技術として、ガス絶縁機器の内部の部分放電を検出する複数の部分放電検出ユニットと、各部分放電検出ユニットからの部分放電信号をリング状のネットワークを介して監視するデータ処理装置とを備える部分放電監視システムが提案されている。
【先行技術文献】
【特許文献】
【０００５】
【特許文献１】米国特許第５３９６１８０号明細書
【発明の概要】
【発明が解決しようとする課題】
【０００６】
従来の部分放電監視システムおよび部分放電監視方法の場合、各部分放電検出ユニットからの部分放電信号がネットワークに常に流されるため、ネットワークに負荷がかかり、データが増え続けた場合、ネットワークの通信に支障をきたす恐れがある。
【０００７】
本発明が解決しようとする課題は、部分放電を監視する上でデータを効率よくネットワークに流すことでネットワークの負荷を軽減することができる部分放電監視システムおよび部分放電監視方法を提供することにある。
【課題を解決するための手段】
【０００８】
実施形態の部分放電監視システムは、監視対象の絶縁ガス封入容器に配置された電磁波検出センサ、変換装置、インターフェース装置を備える。電磁波検出センサは前記絶縁ガス封入容器内の電磁波を検出する。前記変換装置は前記電磁波検出センサにより検出された電磁波の信号をサンプリングしてデジタルデータに変換する。前記インターフェース装置は前記変換装置により変換されたデジタルデータを統合して監視装置へ送信する。前記インターフェース装置は、前記絶縁ガス封入容器内に配置される導体に印加される電圧信号と同期する電圧信号のゼロクロス点を検出して前記電磁波の信号のサンプリングタイミングを決定する検出部と、前記検出部により決定されたサンプリングタイミングを前記変換装置へ通知する送信部と、前記変換装置から受信された前記変換装置毎のデジタルデータを統合する統合部と、前記統合部により統合されたデジタルデータを前記監視装置へ送信する送信部とを備える。前記変換装置は、前記インターフェース装置から通知されたサンプリングタイミングを基に前記電磁波の信号をサンプリングするタイミングを決定するタイミング決定部と、前記タイミング決定部により決定されたタイミングを基に、前記電磁波の信号をサンプリングしてデジタルデータに変換する検出部と、前記検出部により変換されたデジタルデータを前記インターフェース装置へ送信する送信部とを備える。
【図面の簡単な説明】
【０００９】
【図１】実施形態の部分放電監視システムの概要構成を示す図である。
【図２】ＧＩＳの内部構成を示す断面図である。
【図３】部分放電監視システムの構成を示すブロック図である。
【図４】（Ａ）はセンサにより検出される部分放電信号の交流位相分解型のパターンを示す図、（Ｂ）は１サイクル分の主回路電圧信号の波形を示す図、（Ｃ）は主回路電圧のゼロクロスタイミングを示す図である。
【図５】変換装置で変換された状態データＳを示す図である。
【図６】データ・インターフェース装置で複数の状態データＳが統合された状態のデータを示す図である。
【発明を実施するための形態】
【００１０】
以下、図面を参照して、実施形態を詳細に説明する。
図１は実施形態の部分放電監視システムの概要構成を示す図、図２はＧＩＳの内部構造を示す図、図３は部分放電監視システムの各部の構成を示すブロック図である。
図１乃至３に示すように、実施形態の部分放電監視システムは、複数のガス絶縁開閉装置（Gas Insulated Switchgear：ＧＩＳ）の配管である円管状の金属容器４１（絶縁ガス封入容器）に設けられた部分放電検出器としての複数の電磁波検出センサ１（以下「センサ１」と称す）と、これら複数のセンサ１と同軸ケーブル２などを介して接続された変換装置３ａ〜３ｏと、各変換装置３ａ〜３ｏとＬＡＮ４などのネットワークを介して接続された監視盤５と、複数の監視盤５にＬＡＮ８などのネットワークを介して接続された監視装置およびデータ処理装置としてコンピュータ９（以下「ＰＣ９」と称す）とを備える。
【００１１】
ＧＩＳ４０は、接地電位の密閉された絶縁ガス封入容器としての金属容器４１、高電圧導体４２、絶縁スペーサ４４などを備えている。金属容器４１内には、ＳＦ６ガスなどの絶縁ガスが封入され、絶縁物からなる絶縁スペーサ４４によって高電圧導体４２が金属容器４１のほぼ中央の位置に支持されている。金属容器４１内がこのシステムの監視対象である。
【００１２】
センサ１は、金属容器４１内部の電磁波Ｐを検出する円形状の平板電極（アンテナ４７）であり、金属容器４１の電界強度が比較的低い内部アクセス用の穴であるハンドホール部などのフランジ４６に設置されている。センサ１は、ＧＩＳ４０で送電される電力信号が例えば３相交流の場合、Ａ相，Ｂ相，Ｃ相それぞれに設けられている。
【００１３】
すなわち、センサ１は、金属容器４１内部で発生した部分放電を検出し、検出信号を出力するセンサである。部分放電に伴う電磁波Ｐは数十ＭＨｚから数ＧＨｚにわたる信号が含まれているため、センサ１は、ＵＨＦ帯域の電磁波信号（３００ＭＨｚ〜３ＧＨｚ）を検出する。
【００１４】
複数の変換装置３ａ〜３ｏは、それぞれ部分放電信号検出部３０、データ記憶部３１、タイミング生成部３２、データ送受信部３３などを備える。データ記憶部３１は、データを一次保持するためのメモリなどである。各変換装置３ａ〜３ｏは、ＧＩＳ４０の金属容器４１の近傍に設置されている。
【００１５】
変換装置３ａ〜３ｏは、データ・インターフェース装置７により検出された主回路電圧信号の位相のゼロクロスタイミングを基準として時間分割された領域毎にセンサ１の信号を検出する。
【００１６】
３相交流では、３つのセンサ１の信号を一括して処理することが都合がよいため、変換装置３ａ〜３ｏは、データ・インターフェース装置７により検出された主回路電圧信号の位相タイミングを基準として、１サイクルを３の倍数分割された領域毎に、各センサ１の検出信号を検出する。
【００１７】
部分放電信号検出部３０は、センサ１から受信された状態信号（状態量）を任意の周期と分割数（例えば１サイクルの周期を６０分割したタイミング（６０／ｓｅｃ））で５０サイクル分をサンプリングしてデジタルの状態データＳ（図５参照）に変換し、データ記憶部３１に記憶する。
【００１８】
タイミング生成部３２は、データ・インターフェース装置７から受け取ったタイミングパルスデータサンプリングのタイミングを生成する。
【００１９】
すなわち、タイミング生成部３２は、データ・インターフェース装置７から通知されたサンプリングタイミングを基に電磁波を含まれる可能性がある状態信号をサンプリングするタイミングと状態信号１周期毎の分割数とを決定するタイミング決定部である。
【００２０】
データ送受信部３３は、データ記憶部３１に記憶された状態データＳを読み出してＬＡＮ４を通じて監視盤５へ送信する。具体的には、データ送受信部３３は、状態データＳを監視盤５のＨＵＢ７１を通じてデータ・インターフェース装置７へ送信する。
【００２１】
監視盤５には、ＨＵＢ７１とデータ・インターフェース装置７が設けられている。ＨＵＢ７１はＬＡＮの通信を中継（分配）する装置である。ＨＵＢ５は各変換装置３ａ〜３ｇとデータ・インターフェース装置７との通信を中継する。
【００２２】
監視盤５は、電圧階級毎に設けられている。この例では、監視盤５は、４００ｋＶ用のものと、２４５ｋＶ用のものと、１４５ｋＶ用のものなど、異なる３階級のものがある。
【００２３】
データ・インターフェース装置７は、電圧信号検出部７４、ＳＷ信号検出部７５、データ送受信部７６、データ統合部７７、データ送受信部７８を備える。このデータ・インターフェース装置７は、監視対象の機器（この場合、変換装置３ａ〜３ｇ、３ｈ〜３ｋ、３ｌ〜３ｏ）毎に設けられている。
各データ・インターフェース装置７は、複数の変換装置３ａ〜３ｏから送信されてくるデータを、単位時間毎のデータに統合してＰＣ９へ送信する。データ・インターフェース装置７は、変換装置３ａ〜３ｏとの間のデータ送受信のタイミングを制御する。
各データ・インターフェース装置７は、１つの相の主回路電圧信号がゼロクロスするタイミングでパルス信号を生成し、生成したパルス信号を所定時間間隔（例えば１秒間隔など）で、関連する変換装置３ａ〜３ｇ、３ｈ〜３ｋ、３ｌ〜３ｏへ送信する。
【００２４】
電圧信号検出部７４は、変電設備の電力線などの主回路からの電圧（以下「主回路電圧信号」と称す）を受信し、主回路電圧信号の位相からゼロクロスのタイミングＴ（図４参照）を検出する。すなわち電圧信号検出部７４は、金属容器４１内に配置される高電圧導体４２に印加される電圧信号と同位相の主回路電圧信号（参照信号）のゼロクロス点を検出して状態信号のサンプリングタイミングを決定する検出部である。
【００２５】
ＳＷ信号検出部７５は、ＧＩＳ４０が動作中（例えば、ＧＩＳ４０が有する開閉器が開から閉に至る状態変化時）に、ＧＩＳ４０から入力されたＳＷ動作信号によりＧＩＳ４０が動作中であることを検出し、それをＧＩＳ動作情報としてデータ統合部７７に通知する。つまりＳＷ信号検出部７５は、監視対象の機器が動作中であることを通知する信号（動作有無フラグなど）を受信し、監視対象の機器が動作していることを検出する。
【００２６】
データ送受信部７６は、ＬＡＮ４を介してデータの送受信（通信）を行う。データ送受信部７６は、電圧信号検出部７４により決定されたサンプリングタイミングを、同じ電力階級の変換装置３ａ〜３ｇへ通知する。データ送受信部７８は、データ伝送路としてのＬＡＮ８を介してＰＣ９とデータの送受信（通信）を行う。
【００２７】
データ統合部７７は、データ送受信部７６にて受信した複数の変換装置３ａ〜３ｇの状態データＳおよびＳＷ信号検出部７５から入力されたＧＩＳ動作情報を統合してデータ送受信部７８へ渡す。
【００２８】
データ統合部７７は、同じ電力階級の変換装置３ａ〜３ｇからそれぞれ受信される変換装置毎の状態データＳ（デジタルデータ）を統合し、サンプリング統合データ７７ａとする。すなわちデータ送受信部７８は、データ統合部７７により統合されたサンプリング統合データ７７ａ（デジタルデータ）を監視装置としてのＰＣ９へ送信する。
【００２９】
ＰＣ９は、データ送受信部９０、データ処理部９１、データ記憶部９２、データ表示部９３、入出力部９４を備える。データ送受信部９０は、監視盤５のデータ統合部７７から送られてきたサンプリング統合データ７７ａを受信する。
【００３０】
データ処理部９１は、データ送受信部９０により受信されたサンプリング統合データ７７ａを１つのセンサ１の１秒間のデータに分解し、データ記憶部９２に保存すると共に、部分放電信号の発生パターンをデータ表示部９３に出力しモニターの画面に表示させる。この場合、部分放電信号の発生パターンは、横軸を電圧の電気角０〜３６０°とするグラフで表示される。データ記憶部９２には、各センサ１の１秒間のデータがそれぞれ随時記憶される。
【００３１】
データ表示部９３は、データ処理部９１により処理された部分放電信号の発生パターンをモニターの画面に表示する。入出力部９４は、キーボードやマウス等の入力部や接点信号を出力する出力部などを含む。
【００３２】
以下、図４乃至図６を参照してこの実施形態の部分放電監視システムの動作を説明する。  
図４（Ａ）はセンサ１により検出される部分放電信号の交流位相分解型のパターン、図４（Ｂ）は１サイクル分の主回路電圧信号を示す図、図４（Ｃ）は主回路電圧のゼロクロスタイミングを示す図である。なお図４（Ｂ）は、横軸を電圧の電気角０〜３６０°とし、変電設備の電力線などの主回路からの電圧（以下「主回路電圧信号」と称す）の１サイクル分に相当する信号６１を表示している。
【００３３】
図４（Ａ）に示すように、主回路電圧信号６１の大きさは、発生位相で分解・視覚化したパターン６２で表示される。このパターン６２は、金属容器４１内で部分放電が発生すると変化するため、部分放電の要因に応じた特徴を示すパターンとなる。
【００３４】
データ・インターフェース装置７では、センサ１が設置されている監視対象の信号と同位相の参照信号（主回路電圧信号）が電圧信号検出部７４に入力される。
【００３５】
この実施形態の部分放電監視システムの場合、データ・インターフェース装置７に入力された主回路電圧信号（図４（Ｂ）参照）から電圧信号検出部７４が主回路電圧信号のゼロクロスタイミングＴを検出し、その検出タイミングでタイミングパルス６３（図４（Ｃ）参照）を一定時間毎（例えば１秒毎）に出力する。
【００３６】
すなわち、電圧信号検出部７４は、図４（Ｂ）に示す主回路電圧信号６１のゼロクロスするタイミングＴを検出し、タイミングパルス６３を生成し、また主回路電圧信号６１のゼロクロスタイミングデータとしてデータ送受信部７６へ出力する。
【００３７】
データ送受信部７６は、受け取ったゼロクロスタイミングデータをＨＵＢ５およびＬＡＮ４を通じて変換装置３へ送信する。
【００３８】
変換装置３では、データ送受信部３３が、データ・インターフェース装置７から送られてきたゼロクロスタイミングデータを受信すると、受信したゼロクロスタイミングデータをタイミング生成部３２に渡す。
【００３９】
タイミング生成部３２は、受け取ったゼロクロスタイミングデータのタイミングパルス６３と１周期毎の分割数とを基にサンプリング開始タイミングを作成し、部分放電信号検出部３０に出力する。
【００４０】
一方、ＧＩＳ４０では、金属容器４１の内部の高電圧導体４２の欠陥部４３で部分放電が発生すると、金属容器４１内部に部分放電による数十ＭＨｚから数十ＧＨｚの電磁波Ｐが発生する。このとき、密閉された金属容器４１内では、導波管の理論により電磁波Ｐが伝搬する。そして、センサ１は金属容器４１内の電磁波Ｐを受信する。
【００４１】
部分放電信号検出部３０は、Ａ相，Ｂ相，Ｃ相の各センサ１から入力された検出信号を一定時間間隔でサンプリングする。この際、部分放電信号検出部３０は、タイミング生成部３２により生成されたサンプリング開始タイミングに基づいてサンプリングを開始し、一定時間のサンプリングデータ列３０ａを生成する。
【００４２】
この際、部分放電信号検出部３０は、複数のセンサ１から得られたサンプリングデータ列３０ａを結合して、サンプリング結合データ（以下「状態データＳ」と称す）としてデータ記憶部３１に記憶する。データ記憶部３１に記憶された状態データＳは、一定間隔、例えば１秒毎などにデータ送受信部３３からＬＡＮ４およびＨＵＢ７１を通じて監視盤５のデータ・インターフェース装置７に送られ、データ送受信部７６に受信される。
【００４３】
すなわち、変換装置３ａ〜３ｏでは、各センサ１からの検出信号を取得して、取得した検出信号（信号の状態量）を、データ・インターフェース装置７から受信されたタイミング信号の入力タイミングに基づいてサンプリング（デジタルサンプリング）してデジタルの状態データＳに変換し、データ記憶部３１に記憶し、その後、データ送受信部３３が、データ記憶部３１の状態データＳを読み出してＬＡＮ４を通じてデータ・インターフェース装置７へ送信する。
【００４４】
データ・インターフェース装置７では、ＨＵＢ７１を通じて送られてきた状態データＳをデータ送受信部７６が受信し、データ統合部７７に渡す。
【００４５】
データ・インターフェース装置７には、同じ電圧階級（４００ｋＶ用）の複数の変換装置３ａ〜３ｇから状態データＳが受信される。また、ＳＷ信号検出部７５は、ＳＷ動作信号を受けて、ＧＩＳ４０が動作している状態を検出し、データ統合部７７に通知する。
【００４６】
データ統合部７７は、複数の変換装置３ａ〜３ｇから受信した複数の状態データＳを各センサのＩＤなどに対応付けて統合しサンプリング統合データ７７ａとする（図６参照）。この際、データ統合部７７は、ＳＷ信号検出部７５から通知された開閉器が「開」から「閉」に至る状態変化を示すフラグ（動作有無フラグ）についてもそのサンプリング統合データ７７ａに挿入し、データ送受信部７８に渡す。データ送受信部７８は、受け取ったサンプリング統合データ７７ａを、ＬＡＮ８を通じてＰＣ９へ送信する。
【００４７】
ＰＣ９では、データ送受信部９０が、電圧階級の異なる複数の監視盤５からサンプリング統合データ７７ａを受信してデータ処理部９１に渡し、データ処理部９１は、受け取ったサンプリング統合データ７７ａを加工してデータ記憶部９２に記憶する。ここで加工とは、統計的な処理やグラフ化の処理などをさす。
【００４８】
すなわち、ＰＣ９では、データ処理部９１が、データ送受信部９０により受信されたサンプリング統合データ７７ａを１つずつのセンサ１の１秒間のデータに分解し、データ記憶部９２に保存すると共に、データ表示部９３にて部分放電信号の発生パターンを、横軸を電圧の電気角０〜３６０°として表示する。
【００４９】
このＰＣ９における処理の結果、ＧＩＳ４０の金属容器４１内部の欠陥部４３に発生した部分放電がいつどのタイミングで発生したかなどを良好に検出することができる。
【００５０】
このようにこの実施形態によれば、複数のセンサ１から得られたサンプリング結合データ（状態データＳ）をデータ・インターフェース装置７で中継および統合しＰＣ９へ送ることで、ＰＣ９側では、複数（多数）の監視対象個所をリアルタイムに、横軸を電圧の電気角０〜３６０°とする発生位相で分解・視覚化したパターンで表示し監視することが可能となる。これにより、システムの高機能化が可能となる。
【００５１】
また、データ・インターフェース装置７にて主回路電圧の交流ゼロクロスタイミングを検出し、ゼロクロスタイミングデータとして、一定時間毎に変換装置３ａに送信し、変換装置３ａでは、このゼロクロスタイミングデータを基準にデータをサンプリングするので、システム全体の構成を簡素化することが可能であり、かつ拡張が容易となり、安価で拡張性の高い部分放電監視システムを提供することが可能となる。
【００５２】
さらに、本実施の形態では、電力階級毎の異なる監視盤５それぞれにデータ・インターフェース装置７を設けたことで、複数の監視盤５（データ・インターフェース装置７）からのデータを１台のＰＣ９でＬＡＮを通じて監視および表示することが可能となる。このため、電圧階級が異なる変電機器毎に監視盤５を設け、複数の監視盤５を束ねて監視する監視システムを構成することが可能となる。これにより、安価で使い勝手のよいシステムを提供することができる。
【００５３】
すなわち、ＧＩＳ４０などの送変電機器に生じる部分放電を監視する上で、簡素および安価な構成でかつ拡張が容易な監視システムを構成し、データを効率よくネットワークに流すことで、ネットワークの負荷を軽減することができる。
【００５４】
またＳＷ信号検出部７５が、ＧＩＳ４０が動作中であるというデータを一定時間のサンプリング統合データに付加して送るので、ＰＣ９では、その間に発生した部分放電がＧＩＳ４０の動作に依存するものかどうかなどを判断することができる。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。
【００５６】
この実施形態やその変形は、発明の範囲や要旨に含まれるとともに、特許請求の範囲に記載された発明とその均等の範囲に含まれる。
例えば上記実施の形態で説明したセンサ１の信号入力回路部に２つの周波数帯域を通過領域として設定されたバンドパスフィルタ回路を設けることも可能である。
【００５７】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００５８】
１…電磁波検出センサ（センサ）、２…同軸ケーブル、３ａ〜３ｏ…変換装置、４，８…ＬＡＮ、５…変換装置、７…データ・インターフェース装置、９…コンピュータ（ＰＣ）、７６…データ送受信部、３０…部分放電信号検出部、３１…データ記憶部、３２…タイミング生成部、３３…データ送受信部、４１…金属容器、４２…高電圧導体、４３…欠陥部、４４…絶縁スペーサ、４６…フランジ、４７…アンテナ、７４…電圧信号検出部、７５…ＳＷ信号検出部、７６…データ送受信部、７７…データ統合部、７８…データ送受信部、９０…データ送受信部、９１…データ処理部、９２…データ記憶部、９３…データ表示部、９４…入出力部。
【図１】
2014181998.tif 000003
【図２】
2014181998.tif 000004
【図３】
2014181998.tif 000005
【図４】
2014181998.tif 000006
【図５】
2014181998.tif 000007
【図６】
2014181998.tif 000008